(57)【要約】【課題】スタックケース及び補機ケースの内部を良好に換気できるとともに、スタックケースに異物が侵入することを抑制できる燃料電池システムを提供する。【解決手段】燃料電池システム１０は、発電セル１８の積層体２０を収納するスタックケース２２と、補機ケース２６とが隔壁１１８により区画される。積層体２０の連通孔のうち、少なくとも最上部に配設される少なくとも一つの端部連通孔４４の外周には、積層体２０の外周縁部２０ａ側に隣接外周部４４ｂが設けられる。隔壁１１８は、隣接外周部４４ｂとスタックケース２２との間の領域であって外周縁部２０ａよりも外側の領域に対向する対向部１２０を有する。スタックケース２２と補機ケース２６との内部を連通する換気連通口１２２の少なくとも一部が対向部１２０に設けられ、換気連通口１２２は隣接外周部４４ｂに沿った湾曲形状である。【選択図】図５
2020170679.tif 000002
【特許請求の範囲】
【請求項１】
発電セルを水平方向に複数積層した積層体を収納するスタックケースと、燃料電池用補機を収納する補機ケースと、を備え、水平方向に互いに隣接する前記スタックケース及び前記補機ケースが隔壁により区画され、前記スタックケース及び前記補機ケースの内部に排気ダクトが連通した燃料電池システムであって、
前記積層体には、該積層体を積層方向に連通する複数の連通孔が設けられ、
前記複数の連通孔のうち、少なくとも最上部に配設される少なくとも一つの端部連通孔の外周は、前記積層体の外周縁部側に設けられる隣接外周部を有し、
前記隔壁は、前記隣接外周部と前記スタックケースの内壁面との間の領域であって前記積層体の前記外周縁部よりも外側の領域に対向する対向部を有し、
前記スタックケースの内部と前記補機ケースの内部とを連通する換気連通口の少なくとも一部が前記対向部に設けられ、
前記換気連通口は、前記隣接外周部に沿った湾曲形状である、燃料電池システム。
【請求項２】
請求項１記載の燃料電池システムにおいて、
前記隣接外周部側から前記積層体の外側に向かって間隔を置いて並列する複数の前記換気連通口の少なくとも一部が前記対向部に設けられている、燃料電池システム。
【請求項３】
請求項１又は２の何れか１項に記載の燃料電池システムにおいて、
前記換気連通口は、前記補機ケース内の上部側で、前記積層方向に直交する方向の両端部の少なくとも一方に設けられている、燃料電池システム。
【請求項４】
請求項１〜３の何れか１項に記載の燃料電池システムにおいて、
前記端部連通孔には、最下部に配設される前記連通孔も含まれ、
前記換気連通口は、前記補機ケース内の下部側で、前記積層方向に直交する方向の両端部の少なくとも一方にも設けられる、燃料電池システム。
【発明の詳細な説明】
【技術分野】
【０００１】
本発明は、発電セルを複数積層した積層体を収納するスタックケースと、燃料電池用補機を収納する補機ケースとを備える燃料電池システムに関する。
【背景技術】
【０００２】
例えば、固体高分子型燃料電池は、高分子イオン交換膜からなる電解質膜の一方にアノード電極が配設され、他方にカソード電極が配設された電解質膜・電極構造体（ＭＥＡ）を備える。電解質膜・電極構造体をセパレータで挟持することにより、発電セルが構成され、複数個の発電セルを積層することにより、積層体が構成される。この積層体に、ターミナルプレート、絶縁プレート、エンドプレート等をさらに積層することなどにより、燃料電池スタックが得られる。
【０００３】
この種の燃料電池スタックを備える燃料電池システムは、例えば、燃料電池車両等（搭載体）の搭載空間に搭載して用いることができる。この場合、特に水素ガスである燃料ガスが積層体等から漏出したとしても、該漏出燃料ガスが車両内の搭載空間等に留まることを抑制する必要がある。そこで、例えば、特許文献１には、積層体を収納するスタックケースの内部に排気ダクトを連通させた燃料電池システムが提案されている。この燃料電池システムでは、スタックケース内の漏出燃料ガスを、排気ダクトを介して車両の外部等の所定の場所に導出することで、スタックケース内を換気して、搭載空間等に漏出燃料ガスが留まることを抑制する。
【先行技術文献】
【特許文献】
【０００４】
【特許文献１】特許第６１０４８６４号公報
【発明の概要】
【発明が解決しようとする課題】
【０００５】
ところで、燃料電池システムでは、燃料ガスのインジェクタ等を含む燃料電池用補機を収納する補機ケースがスタックケースに隣接して設けられることがある。この場合、隔壁で区画されたスタックケース及び補機ケースの両方の内部を換気する必要がある。そこで、例えば、スタックケース及び補機ケースの内部を排気ダクトに連通させるとともに、スタックケースと補機ケースの内部を連通させる換気連通口を隔壁に設ける。これによって、スタックケース及び補機ケースの内部と排気ダクトとを簡単な構成により連通させて換気を行うことが可能になる。
【０００６】
上記の構成では、スタックケース内の隔壁近傍に漏洩燃料ガスが溜まり易くなる。このため、スタックケース及び補機ケースの内部の換気効率を向上させるべく、換気連通口の最大幅を大きくして、スタックケースと補機ケースとの間の漏洩燃料ガスの流通を促すことが考えられる。しかしながら、換気連通口の最大幅を大きくすると、燃料電池システムの組立時等に換気連通口からスタックケースの内部に比較的小さな構成部品や、構成要素から剥離した破片等が異物として侵入し易くなる。燃料電池システムでは、正常な動作を良好に維持するべく、スタックケースの内部への異物の侵入を抑制することが好ましい。また、換気連通口の最大幅を大きくする分、隔壁の面積も大きくなり、スタックケース及び補機ケースが大型化する懸念がある。
【０００７】
本発明は、このような課題を考慮してなされたものであり、スタックケース及び補機ケースの内部を良好に換気できるとともに、補機ケースとスタックケースとを連通する換気連通口からスタックケースに異物が侵入すること及び補機ケース及びスタックケースが大型化することを抑制できる燃料電池システムを提供することを目的とする。
【課題を解決するための手段】
【０００８】
上記の目的を達成するため、本発明は、発電セルを水平方向に複数積層した積層体を収納するスタックケースと、燃料電池用補機を収納する補機ケースと、を備え、水平方向に互いに隣接する前記スタックケース及び前記補機ケースが隔壁により区画され、前記スタックケース及び前記補機ケースの内部に排気ダクトが連通した燃料電池システムであって、前記積層体には、該積層体を積層方向に連通する複数の連通孔が設けられ、前記複数の連通孔のうち、少なくとも最上部に配設される少なくとも一つの端部連通孔の外周は、前記積層体の外周縁部側に設けられる隣接外周部を有し、前記隔壁は、前記隣接外周部と前記スタックケースの内壁面との間の領域であって前記積層体の前記外周縁部よりも外側の領域に対向する対向部を有し、前記スタックケースの内部と前記補機ケースの内部とを連通する換気連通口の少なくとも一部が前記対向部に設けられ、前記換気連通口は、前記隣接外周部に沿った湾曲形状である。
【発明の効果】
【０００９】
少なくとも最上部に配設される端部連通孔の隣接外周部とスタックケースの内壁面との間の領域であって積層体の外周縁部よりも外側の領域に、隔壁の対向部が対向する。すなわち、スタックケース内の上方に配設された隣接外周部の周辺において、積層体の外周面とスタックケースの内壁面との間に形成されたスペースに、隔壁の対向部が対向する。
【００１０】
漏洩燃料ガスは、空気より軽いことが多く、スタックケース内の上方に向かい易い。また、例えば、端部連通孔が、特に、燃料ガスを流通させる燃料ガス連通孔であった場合、該端部連通孔は漏洩燃料ガスを生じさせる箇所の一つとなる。このため、スタックケース内の上方であって端部連通孔に近接する上記のスペースには漏洩燃料ガスが留まり易くなる。
【００１１】
換気連通口の少なくとも一部を隔壁の対向部に設けることで、該換気連通口の少なくとも一部を上記のスペースに向かって開口させることができる。これによって、上記のスペースを有効に活用して、換気連通口の最大幅等を大きくすることなく、ひいては、隔壁の面積を大きくすることなく、スタックケース内の隔壁近傍における漏洩燃料ガスを換気連通口から補機ケースの内部へと効果的に流入させて排気ダクトへと導くことが可能になる。
【００１２】
また、換気連通口を端部連通孔の隣接外周部に沿った湾曲形状とすることで、該端部連通孔からの漏洩燃料ガスを、換気連通口を介して補機ケースの内部へと効率的に流入させることが可能になる。
【００１３】
その結果、スタックケース及び補機ケース内で比較的漏洩燃料ガスが留まり易い隔壁の近傍においても、漏洩燃料ガスが留まることを効果的に抑制できる。このため、スタックケース及び補機ケースが大型化することを抑制しつつ、その内部を良好に換気することが可能になる。
【００１４】
さらに、換気連通口を上記の湾曲形状とすることで、換気連通口の最大幅を大きくすることなく、対向部に対する換気連通口の開口面積を大きくすることができる。これによって、燃料電池システムの組立時等に、その構成部品や、構成要素から剥離した剥離片等の異物が換気連通口を通過することを抑制して、スタックケースの内部に異物が侵入することを抑制できる。
【図面の簡単な説明】
【００１５】
【図１】本発明の実施形態に係る燃料電池システムを備えた燃料電池車両の概略斜視図である。
【図２】発電セルの分解斜視図である。
【図３】スタックケースに収納された第１セパレータの酸化剤ガス流路側の正面図である。
【図４】スタックケースに収納された第２セパレータの燃料ガス流路側の正面図である。
【図５】ケースユニットの分解斜視図である。
【図６】燃料電池システムの製造工程の一部を説明する概略断面図である。
【図７】端部連通孔と換気連通口との形状の関係を説明する説明図である。
【図８】変形例に係る換気連通口の形状を説明する説明図である。
【発明を実施するための形態】
【００１６】
本発明に係る燃料電池システムについて好適な実施形態を挙げ、添付の図面を参照しながら詳細に説明する。なお、以下の図において、同一又は同様の機能及び効果を奏する構成要素に対しては同一の参照符号を付し、繰り返しの説明を省略する場合がある。
【００１７】
本実施形態では、図１に示すように、燃料電池システム１０が、燃料電池電気自動車である燃料電池車両１２（搭載体）に搭載される場合を例に挙げて説明するが、特にこれに限定されるものではなく、燃料電池システム１０は種々の搭載体（不図示）に搭載して用いることができる。以下では、特に説明しない限り、燃料電池車両１２の運転席に着座した乗員（不図示）から見た方向を基準に、前後方向（矢印Ａ方向）、左右方向（矢印Ｂ方向）、上下方向（矢印Ｃ方向）を説明する。
【００１８】
燃料電池システム１０は、燃料電池車両１２のダッシュボード１４の前方（矢印ＡＦ側）に形成されたフロントルーム（モータルーム）１６内に配設されている。また、燃料電池システム１０では、複数の発電セル１８（図２）が左右方向（矢印Ｂ方向）に積層されてなる積層体２０と、該積層体２０を収納するスタックケース２２と、燃料電池用補機２４を収納する補機ケース２６とを備える。
【００１９】
以下では、特に説明しない限り、燃料電池システム１０は、燃料電池車両１２に対して、積層体２０の積層方向が左右方向（矢印Ｂ方向、水平方向）に沿う搭載方向で配置されることとする。しかしながら、特にこれに限定されるものではなく、例えば、燃料電池システム１０は、積層体２０の積層方向が前後方向（矢印Ａ方向、水平方向）に沿う搭載方向で燃料電池車両１２に搭載されてもよい。
【００２０】
図１に示すように、積層体２０の積層方向の左端（矢印ＢＬ側端）には、第１ターミナルプレート２８及び第１絶縁プレート３０が外方に向かって順次積層される。積層体２０の積層方向の右端（矢印ＢＲ側端）には、第２ターミナルプレート３２及び第２絶縁プレート３４が外方に向かって順次積層される。以下、積層体２０と、第１ターミナルプレート２８及び第２ターミナルプレート３２と、第１絶縁プレート３０及び第２絶縁プレート３４とを積層した構成をスタック３５ともいう。
【００２１】
図２に示すように、発電セル１８は、樹脂枠付きＭＥＡ３６と、該樹脂枠付きＭＥＡ３６を挟持する第１セパレータ３８及び第２セパレータ４０とを有する。第１セパレータ３８及び第２セパレータ４０は、例えば、鋼板、ステンレス鋼板、アルミニウム板、めっき処理鋼板、あるいはその金属表面に防食用の表面処理を施した金属薄板の断面を波形にプレス成形して構成される。
【００２２】
第１セパレータ３８と第２セパレータ４０とは、外周を溶接、ろう付け、かしめ等により一体に接合され、接合セパレータ４２を構成する。本実施形態では、第１セパレータ３８及び第２セパレータ４０のそれぞれは、矩形状の四隅が、後述する酸化剤ガス連通孔及び燃料ガス連通孔の外周に略沿ってそれぞれ切り欠かれた形状となっている。
【００２３】
第２セパレータ４０の長辺方向（矢印Ａ方向）の後端側（矢印ＡＲ側）の縁部には、さらに後側に突出する複数（本実施形態では６個）のセル電圧端子４６が、上下方向（矢印Ｃ方向）に間隔を置いて設けられている。積層体２０の各第２セパレータ４０に設けられたセル電圧端子４６を選択的に不図示の電圧検出装置に接続することで、発電時の各発電セル１８又は所定数の発電セル１８のセル電圧を検出することが可能となる。
【００２４】
なお、各第２セパレータ４０に設けられるセル電圧端子４６の個数は１個でもよく、６個以外の複数であってもよい。また、セル電圧端子４６は、第１セパレータ３８に設けられていてもよいし、第１セパレータ３８及び第２セパレータ４０の両方に設けられていてもよい。
【００２５】
樹脂枠付きＭＥＡ３６は、電解質膜・電極構造体（ＭＥＡ）４８と、樹脂枠部材５０とを備える。樹脂枠部材５０は、電解質膜・電極構造体４８の外周に接合されるとともに、該電解質膜・電極構造体４８の外周を周回する。電解質膜・電極構造体４８は、電解質膜５２と、電解質膜５２の一方（矢印ＢＲ側）の面に設けられたアノード電極５４と、電解質膜５２の他方（矢印ＢＬ側）の面に設けられたカソード電極５６とを有する。
【００２６】
電解質膜５２は、例えば、水分を含んだパーフルオロスルホン酸の薄膜等の固体高分子電解質膜（陽イオン交換膜）であり、アノード電極５４及びカソード電極５６に挟持される。なお、電解質膜５２は、フッ素系電解質の他、ＨＣ（炭化水素）系電解質を使用することもできる。
【００２７】
何れも不図示ではあるが、アノード電極５４は、電解質膜５２の一方（矢印ＢＲ側）の面に接合されるアノード電極触媒層と、該アノード電極触媒層に積層されるアノードガス拡散層とを有する。カソード電極５６は、電解質膜５２の他方（矢印ＢＬ側）の面に接合されるカソード電極触媒層と、該カソード電極触媒層に積層されるカソードガス拡散層とを有する。
【００２８】
アノード電極触媒層は、例えば、白金合金が表面に担持された多孔質カーボン粒子が、イオン導電性高分子バインダとともにアノードガス拡散層の表面に一様に塗布されて形成される。カソード電極触媒層は、例えば、白金合金が表面に担持された多孔質カーボン粒子が、イオン導電性高分子バインダとともにカソードガス拡散層の表面に一様に塗布されて形成される。
【００２９】
カソードガス拡散層及びアノードガス拡散層は、カーボンペーパ又はカーボンクロス等の導電性多孔質シートから形成される。カソード電極触媒層とカソードガス拡散層との間、及びアノード電極触媒層とアノードガス拡散層との間の少なくとも一方に、多孔質層（不図示）を設けてもよい。
【００３０】
図１に示すスタック３５には、図２に示すように、該積層体２０の積層方向（矢印Ｂ方向）に流体を流通させる複数の連通孔として、酸化剤ガス入口連通孔５８ａ及び酸化剤ガス出口連通孔５８ｂと、冷却媒体入口連通孔６０ａ及び冷却媒体出口連通孔６０ｂと、燃料ガス入口連通孔６２ａ及び燃料ガス出口連通孔６２ｂとが設けられている。具体的には、複数の連通孔は、スタック３５の積層体２０（図１）と、第１絶縁プレート３０及び第２絶縁プレート３４（図１）を矢印Ｂ方向に連通する。
【００３１】
これらの連通孔のうち、冷却媒体入口連通孔６０ａ及び冷却媒体出口連通孔６０ｂには、発電セル１８を冷却するための、例えば、純水やエチレングリコール、オイル等の冷却媒体が流通する。酸化剤ガス入口連通孔５８ａ及び酸化剤ガス出口連通孔５８ｂには、反応ガスとして、例えば、酸素含有ガス等の酸化剤ガス（例えば、空気）が流通する。なお、酸化剤ガス入口連通孔５８ａ及び酸化剤ガス出口連通孔５８ｂを総称して酸化剤ガス連通孔ともいう。燃料ガス入口連通孔６２ａ及び燃料ガス出口連通孔６２ｂには、反応ガスとして、例えば、水素含有ガス等の燃料ガスが流通する。なお、燃料ガス入口連通孔６２ａ及び燃料ガス出口連通孔６２ｂを総称して燃料ガス連通孔ともいう。
【００３２】
図２に示すように、発電セル１８のうち接合セパレータ４２及び樹脂枠部材５０の長辺方向（矢印Ａ方向）の後端側（矢印ＡＲ端側）の縁部には、積層方向（矢印Ｂ方向）に互いに連通して、酸化剤ガス入口連通孔５８ａ、２つの冷却媒体入口連通孔６０ａ及び２つの燃料ガス出口連通孔６２ｂが設けられる。燃料ガス出口連通孔６２ｂには、各発電セル１８から燃料ガスが排出される。酸化剤ガス入口連通孔５８ａは、各発電セル１８に酸化剤ガスを供給する。冷却媒体入口連通孔６０ａは、各発電セル１８に冷却媒体を供給する。
【００３３】
これらの連通孔は上下方向（矢印Ｃ方向）に配列して設けられる。具体的には、酸化剤ガス入口連通孔５８ａは、上下方向に離間して配置された２つの冷却媒体入口連通孔６０ａの間に配置されている。２つの燃料ガス出口連通孔６２ｂのうち、一方は、上側の冷却媒体入口連通孔６０ａの上方（矢印Ｃ１側）に配置され、他方は、下側の冷却媒体入口連通孔６０ａの下方（矢印Ｃ２側）に配置されている。
【００３４】
発電セル１８のうち、接合セパレータ４２及び樹脂枠部材５０の長辺方向の前端側（矢印ＡＦ端側）の縁部には、積層方向に互いに連通して、燃料ガス入口連通孔６２ａ、２つの冷却媒体出口連通孔６０ｂ及び２つの酸化剤ガス出口連通孔５８ｂが設けられる。燃料ガス入口連通孔６２ａは、各発電セル１８に燃料ガスを供給する。冷却媒体出口連通孔６０ｂには、各発電セル１８から冷却媒体が排出される。酸化剤ガス出口連通孔５８ｂには、各発電セル１８から酸化剤ガスが排出される。
【００３５】
これらの連通孔は上下方向に配列して設けられる。具体的には、燃料ガス入口連通孔６２ａは、上下方向に離間して配置された２つの冷却媒体出口連通孔６０ｂの間に配置されている。２つの酸化剤ガス出口連通孔５８ｂのうち、一方は、上側の冷却媒体出口連通孔６０ｂの上方に配置され、他方は、下側の冷却媒体出口連通孔６０ｂの下方に配置されている。
【００３６】
本実施形態では、複数の連通孔のうち、最上部に配設される燃料ガス出口連通孔６２ｂを端部連通孔４４とする。なお、燃料ガス出口連通孔６２ｂと同じく最上部に配設される酸化剤ガス出口連通孔５８ｂを端部連通孔４４としてもよいし、最上部に配設される燃料ガス出口連通孔６２ｂ及び酸化剤ガス出口連通孔５８ｂの両方を端部連通孔４４としてもよい。さらに、最下部に配設される燃料ガス出口連通孔６２ｂ及び酸化剤ガス出口連通孔５８ｂの少なくとも一方を併せて端部連通孔４４としてもよい。
【００３７】
図３及び図４に示すように、端部連通孔４４の外周は、該外周の他部位４４ａよりも積層体２０の外周縁部２０ａに近い側に設けられる隣接外周部４４ｂを有する。積層体２０の外周を覆うスタックケース２２の内壁面２２ａと、隣接外周部４４ｂとの間の領域であって、積層体２０の外周縁部２０ａよりも外側の領域にはスペース６４が設けられている。
【００３８】
上記の通り、第１セパレータ３８及び第２セパレータ４０の四隅は、酸化剤ガス連通孔及び燃料ガス連通孔の外周に略沿って切り欠かれた形状となっている。すなわち、第１セパレータ３８及び第２セパレータ４０の上側（矢印Ｃ１側）及び矢印ＡＲ側の外周縁部は、端部連通孔４４（燃料ガス出口連通孔６２ｂ）の隣接外周部４４ｂに沿う形状となっている。このため、第１セパレータ３８及び第２セパレータ４０が切り欠かれていない矩形状であった場合よりもスペース６４が大きく形成されている。
【００３９】
複数の連通孔の配置は、本実施形態に限定されるものではなく、要求される仕様に応じて、適宜設定すればよい。本実施形態と異なり、一対の冷却媒体入口連通孔６０ａが燃料ガス入口連通孔６２ａの上下方向（矢印Ｃ方向）の両側に設けられ、一対の冷却媒体出口連通孔６０ｂが酸化剤ガス入口連通孔５８ａの上下方向の両側に設けられてもよい。さらに、本実施形態では、燃料ガス出口連通孔６２ｂ、酸化剤ガス出口連通孔５８ｂ、冷却媒体入口連通孔６０ａ、冷却媒体出口連通孔６０ｂのそれぞれを２個ずつ設けたが、それぞれを１個ずつ設けてもよい。
【００４０】
本実施形態では、酸化剤ガス入口連通孔５８ａは、燃料ガス入口連通孔６２ａよりも開口面積が大きい。酸化剤ガス入口連通孔５８ａは、図示のように、例えば六角形状に形成される。酸化剤ガス入口連通孔５８ａは、六角形状以外の形状（四角形状等）に形成されてもよい。一対の酸化剤ガス出口連通孔５８ｂは、図示のように、例えば三角形状に形成される。酸化剤ガス出口連通孔５８ｂの形状は、各角部が丸く形成された三角形状、あるいは、各角部が直線状に面取りされた三角形状（実質的に六角形状）であってもよい。
【００４１】
燃料ガス入口連通孔６２ａは、図示のように、例えば六角形状に形成される。燃料ガス入口連通孔６２ａは、六角形状以外の形状（四角形状等）に形成されてもよい。一対の燃料ガス出口連通孔６２ｂは、図示のように、例えば三角形状に形成される。燃料ガス出口連通孔６２ｂの形状は、各角部が丸く形成された三角形状、あるいは、各角部が直線状に面取りされた三角形状（実質的に六角形状）であってもよい。
【００４２】
一対の冷却媒体入口連通孔６０ａ及び一対の冷却媒体出口連通孔６０ｂは、例えば三角形状に形成される。一対の冷却媒体入口連通孔６０ａ及び一対の冷却媒体出口連通孔６０ｂの各々は、三角形状の頂点が酸化剤ガス流路６６側及び燃料ガス流路６７側を向くように形成されている。一対の冷却媒体入口連通孔６０ａ及び一対の冷却媒体出口連通孔６０ｂの形状は、各角部が丸く形成された三角形状、あるいは、各角部が直線状に面取りされた三角形状（実質的に六角形状）であってもよい。なお、各連通孔の形状や開口面積の大きさは特に限定されるものではなく、円形状や他の多角形状等であってもよい。
【００４３】
図３に示すように、第１セパレータ３８の樹脂枠付きＭＥＡ３６（図２）に向かう側（矢印ＢＲ側）の面３８ａには、例えば、前後方向（矢印Ａ方向）に延在する酸化剤ガス流路６６が設けられる。酸化剤ガス流路６６は、酸化剤ガス入口連通孔５８ａ及び２つの酸化剤ガス出口連通孔５８ｂに連通する。
【００４４】
酸化剤ガス入口連通孔５８ａと酸化剤ガス流路６６との間には、プレス成形により、樹脂枠付きＭＥＡ３６に向かって突出した複数個のエンボス部を有する入口バッファ部６８ａが設けられる。酸化剤ガス出口連通孔５８ｂと酸化剤ガス流路６６との間には、プレス成形により、樹脂枠付きＭＥＡ３６に向かって突出した複数個のエンボス部を有する出口バッファ部６８ｂが設けられる。
【００４５】
第１セパレータ３８の面３８ａには、プレス成形により、複数のメタルビードシール７０が樹脂枠付きＭＥＡ３６（図２）に向かって一体に膨出成形される。メタルビードシール７０に代えて、弾性材料からなる凸状弾性シールが設けられてもよい。複数のメタルビードシール７０は、外側ビード部７０ａと、内側ビード部７０ｂと、複数の連通孔ビード部７０ｃとを有する。外側ビード部７０ａは、面３８ａの外周縁部を周回する。内側ビード部７０ｂは、酸化剤ガス流路６６、酸化剤ガス入口連通孔５８ａ及び２つの酸化剤ガス出口連通孔５８ｂの外周を周回し且つこれらを連通させる。
【００４６】
複数の連通孔ビード部７０ｃは、燃料ガス入口連通孔６２ａ、２つの燃料ガス出口連通孔６２ｂ、２つの冷却媒体入口連通孔６０ａ及び２つの冷却媒体出口連通孔６０ｂをそれぞれ周回する。なお、外側ビード部７０ａは、必要に応じて設ければよく、不要にすることもできる。
【００４７】
図４に示すように、第２セパレータ４０の樹脂枠付きＭＥＡ３６（図２）に向かう側（矢印ＢＬ側）の面４０ｂには、例えば、前後方向（矢印Ａ方向）に延在する燃料ガス流路６７が形成される。燃料ガス流路６７は、燃料ガス入口連通孔６２ａ及び２つの燃料ガス出口連通孔６２ｂに連通する。
【００４８】
燃料ガス入口連通孔６２ａと燃料ガス流路６７との間には、プレス成形により、樹脂枠付きＭＥＡ３６（図２）に向かって突出した複数個のエンボス部を有する入口バッファ部７２ａが設けられる。燃料ガス出口連通孔６２ｂと燃料ガス流路６７との間には、プレス成形により、樹脂枠付きＭＥＡ３６に向かって突出した複数個のエンボス部を有する出口バッファ部７２ｂが設けられる。
【００４９】
第２セパレータ４０の面４０ｂには、プレス成形により、複数のメタルビードシール７４が、樹脂枠付きＭＥＡ３６（図２）に向かって膨出成形される。当該メタルビードシール７４に代えて、弾性材料からなる凸状弾性シールが設けられてもよい。複数のメタルビードシール７４は、外側ビード部７４ａと、内側ビード部７４ｂと、複数の連通孔ビード部７４ｃとを有する。外側ビード部７４ａは、面４０ｂの外周縁部を周回する。内側ビード部７４ｂは、外側ビード部７４ａよりも内側で、燃料ガス流路６７、燃料ガス入口連通孔６２ａ及び２つの燃料ガス出口連通孔６２ｂの外周を周回し且つこれらを連通させる。
【００５０】
複数の連通孔ビード部７４ｃは、酸化剤ガス入口連通孔５８ａ、２つの酸化剤ガス出口連通孔５８ｂ、２つの冷却媒体入口連通孔６０ａ及び２つの冷却媒体出口連通孔６０ｂをそれぞれ周回する。なお、外側ビード部７４ａは、必要に応じて設ければよく、不要にすることもできる。
【００５１】
図２において、溶接又はロウ付けにより互いに接合される第１セパレータ３８の矢印ＢＬ側の面３８ｂと第２セパレータ４０の矢印ＢＲ側の面４０ａとの間には、冷却媒体入口連通孔６０ａと冷却媒体出口連通孔６０ｂとに連通する冷却媒体流路７６が形成される。冷却媒体流路７６は、酸化剤ガス流路６６が形成された第１セパレータ３８の裏面形状と、燃料ガス流路６７が形成された第２セパレータ４０の裏面形状とが重なり合って形成される。
【００５２】
図１及び図５に示すように、スタックケース２２及び補機ケース２６は、左右方向（矢印Ｂ方向）に隣接するように接合されてケースユニット７８を構成している。ケースユニット７８は平面視で矩形状であり、その長辺が車両幅方向（積層体２０の積層方向、矢印Ｂ方向）に沿って延在する。
【００５３】
図５に示すように、スタックケース２２は、積層体２０の外周面を覆う周壁ケース８０と、前後方向（矢印Ａ方向）を長手方向とする矩形板状のエンドプレート８２とを含んで形成される。周壁ケース８０は、平面視で矩形状のケース本体８４と、後方パネル８６とを有する。ケース本体８４は、左側（矢印ＢＬ側）に形成された矩形状の左開口部８８と、右側（矢印ＢＲ側）に形成された矩形状の右開口部９０と、後側（矢印ＡＲ側）に形成された矩形状の後方開口部９２とを有する箱型である。
【００５４】
後方パネル８６は、後方開口部９２を閉塞するようにケース本体８４にボルト９４により接合される。ケース本体８４と後方パネル８６との間には、後方開口部９２の外周に沿って、弾性材料からなるシール部材９６が介装されている。なお、後方パネル８６は、ケース本体８４と別部品ではなく、ケース本体８４と一体に構成されてもよい。
【００５５】
エンドプレート８２は、右開口部９０を閉塞するようにケース本体８４にボルト９４により接合されることで、ケース本体８４内のスタック３５の右端部（矢印ＢＲ側端部）に設けられた第２絶縁プレート３４（図１参照）に臨む。ケース本体８４とエンドプレート８２との間には、右開口部９０の外周に沿って、弾性材料からなるシール部材９６が介装されている。
【００５６】
図１に示すように、補機ケース２６は、燃料電池用補機２４を収納して保護する保護ケースである。補機ケース２６内には、燃料電池用補機２４として、酸化剤ガス系デバイス９８及び燃料ガス系デバイス１００が収納されている。酸化剤ガス系デバイス９８は、エアポンプ１０２、加湿器１０４等である。燃料ガス系デバイス１００は、インジェクタ１０６、エジェクタ１０８、水素ポンプ１１０、バルブ類（不図示）等である。
【００５７】
補機ケース２６は、具体的には、図５に示すように、一端が開口し、その開口周縁部にフランジ１１２ａ、１１４ａがそれぞれ設けられた箱型の第１ケース部材１１２及び第２ケース部材１１４を有する。第１ケース部材１１２と第２ケース部材１１４は互いのフランジ１１２ａ、１１４ａ同士がボルト止めされることによって一体化される。このようにして一体化された第１ケース部材１１２と第２ケース部材１１４との間に、燃料電池用補機２４（図１参照）を収納する補機収納空間１１６が形成されている。
【００５８】
第１ケース部材１１２の右端（矢印ＢＲ側端）には、左開口部８８を閉塞する隔壁１１８が設けられ、該隔壁１１８がケース本体８４の左端（矢印ＢＬ側端）にボルト９４により接合される。補機ケース２６の隔壁１１８は、スタックケース２２のエンドプレートの機能も兼ね備える。このため、隔壁１１８は、ケース本体８４内のスタック３５の左端部（矢印ＢＬ側端部）に設けられた第１絶縁プレート３０（図１参照）に臨み、エンドプレート８２との間でスタック３５に積層方向の締付荷重を付与する。
【００５９】
また、ケースユニット７８では、隔壁１１８よりも右側に積層体２０（スタック３５）を収納するスタック収納空間１１９が形成され、隔壁１１８よりも左側に補機収納空間１１６が形成される。すなわち、左右方向（積層方向、矢印Ｂ方向、水平方向）に隣接するスタックケース２２及び補機ケース２６が隔壁１１８により区画される。
【００６０】
図５〜図７に示すように、隔壁１１８は対向部１２０を有する。対向部１２０は、図３及び図４の隣接外周部４４ｂとスタックケース２２の内壁面２２ａとの間の領域で積層体２０の外周縁部２０ａよりも外側の領域、すなわち、スペース６４に対向する。対向部１２０には、スタックケース２２の内部のスタック収納空間１１９と、補機ケース２６の内部の補機収納空間１１６とを連通する換気連通口１２２の少なくとも一部が設けられる。
【００６１】
なお、図２の接合セパレータ４２の最上部に配設された酸化剤ガス出口連通孔５８ｂと、最下部に配設された燃料ガス出口連通孔６２ｂ及び酸化剤ガス出口連通孔５８ｂとのそれぞれを端部連通孔４４とした場合に、図５及び図７では、隔壁１１８の対向部１２０となる部分に設けられる換気連通口１２２を仮想線で示している。つまり、隔壁１１８は、その四隅のそれぞれの近傍に換気連通口１２２が設けられていてもよい。
【００６２】
図５及び図７に示すように、換気連通口１２２は、左右方向視（矢印Ｂ方向視）で、隣接外周部４４ｂ（図３、図４）に沿った湾曲形状となっている。また、換気連通口１２２は、隣接外周部４４ｂ側から積層体２０の外側に向かって間隔を置いて並列するように複数（本実施形態では２個）設けられている。図５に示すように、隔壁１１８の換気連通口１２２よりも外周側と、ケース本体８４との間には、左開口部８８の外周に沿って、弾性材料からなるシール部材９６が介装されている。
【００６３】
図５及び図７に示すように、隔壁１１８は、スタック３５に設けられた各連通孔に対向する位置に、該連通孔にそれぞれ接続される接続配管（図示せず）を通すための複数の配管用開口部１２４が形成されている。接続配管を介して各連通孔に酸化剤ガス及び燃料ガスである反応ガスや、冷却媒体を給排することが可能となる。
【００６４】
図１及び図５に示すように、ケースユニット７８のうち、周壁ケース８０の上壁８０ａには、左右方向（矢印Ｂ方向）において、補機ケース２６が設けられた側と反対側（右端側、矢印ＢＲ側）の端部における前後方向（矢印Ａ方向）の両端側に周壁貫通孔１２６がそれぞれ貫通形成されている。つまり、周壁ケース８０の上壁８０ａの右側の角部に周壁貫通孔１２６がそれぞれ設けられている。図１に示すように、周壁貫通孔１２６のそれぞれには、排気ダクト１２８が接続され、これによって、スタック収納空間１１９の内部が排気ダクト１２８の内部と連通する。
【００６５】
また、補機ケース２６の第２ケース部材１１４の上壁１１４ｂには、前後方向（矢印Ａ方向）の両端側に補機ケース貫通孔１３０がそれぞれ貫通形成されている。つまり、第２ケース部材１１４の上壁１１４ｂの左側の角部に補機ケース貫通孔１３０がそれぞれ設けられている。補機ケース貫通孔１３０のそれぞれにも、排気ダクト１２８が接続され、これによって、補機収納空間１１６の内部が排気ダクト１２８の内部と連通する。
【００６６】
また、図５に示すように、ケースユニット７８では、エンドプレート８２の下部と、後方パネル８６の下部と、補機ケース２６の側壁の下部とのそれぞれに貫通形成された換気用貫通孔１３２を介して、該ケースユニット７８の内部（スタック収納空間１１９及び補機収納空間１１６）に空気を流入させることが可能になっている。なお、図１では、換気用貫通孔１３２の図示を省略している。
【００６７】
排気ダクト１２８の左端（矢印ＢＬ側端部）は、燃料電池車両１２の左側フェンダー部１３４に設けられた左側排気口１３６に接続される。また、排気ダクト１２８の右端（矢印ＢＲ側端部）は、燃料電池車両１２の右側フェンダー部１３８に設けられた右側排気口１４０に接続される。つまり、排気ダクト１２８は、左側排気口１３６及び右側排気口１４０を介して、燃料電池車両１２の外部に連通する。
【００６８】
このため、積層体２０や燃料電池用補機２４等から漏洩燃料ガスが生じた場合、該漏洩燃料ガスは、スタック収納空間１１９、補機収納空間１１６、排気ダクト１２８を介して燃料電池車両１２の外部に排出されるようになっている。
【００６９】
上記のように構成される燃料電池システム１０の動作について、以下に説明する。燃料電池車両１２では、その運転時等に燃料電池システム１０による発電が行われる。この場合、上記の接続配管を介してスタック３５の燃料ガス入口連通孔６２ａ（図２）に燃料ガスが供給され、酸化剤ガス入口連通孔５８ａ（図２）に酸化剤ガスが供給され、冷却媒体入口連通孔６０ａ（図２）に冷却媒体が供給される。
【００７０】
酸化剤ガスは、図２及び図３に示すように、酸化剤ガス入口連通孔５８ａから第１セパレータ３８の酸化剤ガス流路６６に導入される。酸化剤ガスは、酸化剤ガス流路６６に沿って矢印Ｂ方向に移動し、電解質膜・電極構造体４８のカソード電極５６に供給される。
【００７１】
一方、燃料ガスは、図２及び図４に示すように、燃料ガス入口連通孔６２ａから第２セパレータ４０の燃料ガス流路６７に導入される。燃料ガスは、燃料ガス流路６７に沿って矢印Ｂ方向に移動し、電解質膜・電極構造体４８のアノード電極５４に供給される。
【００７２】
積層体２０の各電解質膜・電極構造体４８では、カソード電極５６に供給される酸化剤ガスと、アノード電極５４に供給される燃料ガスとが、カソード電極触媒層及びアノード電極触媒層内で電気化学反応により消費されて、発電が行われる。この電力を利用して燃料電池車両１２が走行すること等が可能となる。
【００７３】
図２に示すように、カソード電極５６に供給されて消費された酸化剤ガスは、酸化剤ガス出口連通孔５８ｂに沿って矢印Ａ方向に排出される。同様に、アノード電極５４に供給されて消費された燃料ガスは、燃料ガス出口連通孔６２ｂに沿って矢印Ａ方向に排出される。
【００７４】
また、冷却媒体入口連通孔６０ａに供給された冷却媒体は、第１セパレータ３８と第２セパレータ４０との間に形成された冷却媒体流路７６に導入され、矢印Ｂ方向に流通することで、電解質膜・電極構造体４８等を冷却する。その後、冷却媒体出口連通孔６０ｂから矢印Ａ方向に排出される。
【００７５】
図１及び図５に示すように、スタック収納空間１１９内で積層体２０（スタック３５）から漏洩燃料ガスが生じた場合、該漏洩燃料ガスの一部は、周壁ケース８０の上壁８０ａに設けられた周壁貫通孔１２６を介して排気ダクト１２８に流入する。また、スタック収納空間１１９内の漏洩燃料ガスの残部は、隔壁１１８に設けられた換気連通口１２２を通過して補機収納空間１１６へと流入した後、第２ケース部材１１４の上壁１１４ｂに設けられた補機ケース貫通孔１３０を介して排気ダクト１２８に流入する。
【００７６】
さらに、補機収納空間１１６内で燃料電池用補機２４から漏洩燃料ガスが生じた場合、該漏洩燃料ガスは、補機ケース貫通孔１３０を介して排気ダクト１２８に流入する。なお、例えば、燃料電池車両１２の傾斜時等には、補機収納空間１１６内の漏洩燃料ガスは、隔壁１１８に設けられた換気連通口１２２を通過してスタック収納空間１１９へと流入した後、周壁貫通孔１２６を介して排気ダクト１２８に流入してもよい。
【００７７】
その結果、スタックケース２２及び補機ケース２６の内部（スタック収納空間１１９及び補機収納空間１１６）の漏洩燃料ガスを排気ダクト１２８によって燃料電池車両１２の外部に導出して、スタックケース２２及び補機ケース２６の内部を換気することが可能となる。
【００７８】
以上から、本実施形態に係る燃料電池システム１０では、隔壁１１８の対向部１２０が、少なくとも最上部に配設される端部連通孔４４の隣接外周部４４ｂとスタックケース２２の内壁面２２ａとの間の領域であって積層体２０の外周縁部２０ａよりも外側の領域に対向する。すなわち、対向部１２０は、少なくともスタックケース２２内の上方に配設された隣接外周部４４ｂの周辺において、積層体２０の外周縁部２０ａとスタックケース２２の内壁面２２ａとの間に形成されたスペース６４に対向する。
【００７９】
水素含有ガス等の漏洩燃料ガスは空気より軽く、スタック収納空間１１９の上方に向かい易い。また、端部連通孔４４が、特に、燃料ガスを流通させる燃料ガス連通孔（本実施形態では燃料ガス出口連通孔６２ｂ）であった場合、端部連通孔４４は漏洩燃料ガスを生じさせる箇所の一つとなる。このため、スタックケース２２内の上方であって端部連通孔４４に近接するスペース６４には漏洩燃料ガスが留まり易くなる。
【００８０】
換気連通口１２２の少なくとも一部を隔壁１１８の対向部１２０に設けることで、該換気連通口１２２の少なくとも一部をスペース６４に向かって開口させることができる。これによって、スペース６４を有効に活用して、換気連通口１２２の最大幅等を大きくすることなく、ひいては、隔壁１１８の面積を大きくすることなく、スタックケース２２内の隔壁１１８近傍における漏洩燃料ガスを、換気連通口１２２から補機ケース２６の内部へと効果的に流入させて、排気ダクト１２８へと導くことが可能になる。
【００８１】
また、換気連通口１２２を端部連通孔４４の隣接外周部４４ｂに沿った湾曲形状とすることで、該端部連通孔４４からの漏洩燃料ガスを、換気連通口１２２を介して補機ケース２６の内部へと効率的に流入させることが可能になる。
【００８２】
その結果、スタックケース２２及び補機ケース２６内で、比較的漏洩燃料ガスが留まり易い隔壁１１８の近傍においても、漏洩燃料ガスが留まることを効果的に抑制できる。このため、スタックケース２２及び補機ケース２６が大型化することを抑制しつつ、その内部を良好に換気することが可能になる。
【００８３】
ところで、例えば、燃料電池システム１０は、スタックケース２２に補機ケース２６を接合する組付け工程を経て製造される。この組付け工程では、図６に示すように、補機ケース２６が接合される前のスタックケース２２にスタック３５を収納する。この際、スタック３５の第１絶縁プレート３０側が鉛直方向の上側に配置されるように（スタック３５の積層方向が鉛直方向に沿うように）、スタック３５の向きを調整する。
【００８４】
この状態で、スタックケース２２の左開口部８８を隔壁１１８によって覆うように、スタックケース２２に第１ケース部材１１２を積層し、互いをボルト止め等によって接合する。つまり、組付け工程では、スタックケース２２のスタック収納空間１１９に臨む換気連通口１２２が、スタックケース２２よりも鉛直方向の上側に配置される。
【００８５】
このため、例えば、ケースユニット７８内の換気を促すべく、隔壁１１８に対して、最大幅を大きくした円形等の換気連通口（不図示）を設けた場合、重力の作用下に該換気連通口を介してスタックケース２２内に異物が侵入する懸念がある。異物としては、ボルト９４等の比較的小さな部品や、ボルト止め時にスタックケース２２等から剥離した剥離片（切粉）等が挙げられる。
【００８６】
これに対して、本実施形態に係る燃料電池システム１０では、換気連通口１２２を上記の湾曲形状とすることで、換気連通口１２２の最大幅を大きくすることなく、対向部１２０に対する換気連通口１２２の開口面積を大きくすることができる。これによって、燃料電池システム１０の組立時等に異物が換気連通口１２２を通過することを抑制して、スタックケース２２の内部に異物が侵入することを抑制できる。
【００８７】
従って、本実施形態に係る燃料電池システム１０によれば、スタックケース２２及び補機ケース２６の内部を良好に換気できるとともに、スタックケース２２と補機ケース２６とを連通する換気連通口１２２からスタックケース２２に異物が侵入すること及びスタックケース２２及び補機ケース２６が大型化することを抑制できる。
【００８８】
上記の実施形態に係る燃料電池システム１０では、隣接外周部４４ｂ側から積層体２０の外側に向かって間隔を置いて並列する複数（２個）の換気連通口１２２の少なくとも一部が対向部１２０に設けられていることとした。これによって、換気連通口１２２の最大幅を大きくすることなく、換気連通口１２２の合計の開口面積を増大させることができるため、スタックケース２２及び補機ケース２６の内部をより良好に換気することが可能になるとともに、換気連通口１２２からスタックケース２２に異物が侵入することを抑制できる。
【００８９】
なお、換気連通口１２２は、左右方向視（矢印Ｂ方向視）で、隣接外周部４４ｂに沿った湾曲形状であれば、対向部１２０に対してどのように設けられていてもよい。例えば、図８に示す換気連通孔１４２のように、端部連通孔４４に上下方向に隣接する連通孔（冷却媒体入口連通孔６０ａ又は冷却媒体出口連通孔６０ｂ）の外周部と、隣接外周部４４ｂとの両方に沿った湾曲形状であってもよい。
【００９０】
上記の実施形態に係る燃料電池システム１０では、換気連通口１２２は、補機ケース２６内の上部側で、積層方向に直交する方向（矢印Ａ方向）の両端部の少なくとも一方に設けられていることとした。この場合、ケースユニット７８内で漏洩燃料ガスが溜まり易い上側に換気連通口１２２が設けられるため、換気連通口１２２から補機ケース２６の内部へと漏洩燃料ガスを効果的に流入させて、排気ダクト１２８へと導くことが可能になる。その結果、スタックケース２２及び補機ケース２６の内部の換気効率を向上させることができる。
【００９１】
上記の実施形態に係る燃料電池システム１０の端部連通孔４４には、最下部に配設される連通孔（酸化剤ガス出口連通孔５８ｂ又は燃料ガス出口連通孔６２ｂ）も含まれ、換気連通口１２２は、補機ケース２６内の下部側で、積層方向に直交する方向（矢印Ａ方向）の両端部の少なくとも一方に設けられてもよい。この場合も、隔壁１１８に対する換気連通口１２２の形成箇所を増やすことができるため、換気連通口１２２の最大幅を大きくすることなく、換気連通口１２２の合計の開口面積を増大させることができる。その結果、スタックケース２２及び補機ケース２６の内部をより良好に換気することが可能になるとともに、換気連通口１２２からスタックケース２２に異物が侵入することを抑制できる。
【００９２】
上記の実施形態に係る燃料電池システム１０のように、端部連通孔４４の少なくとも一つは、燃料ガスを流通させる燃料ガス連通孔であることが好ましい。この場合、酸化剤ガスや冷却媒体を流通させる他の連通孔に比して漏洩燃料ガスが生じ易い燃料ガス連通孔の隣接外周部４４ｂに沿って換気連通口１２２が形成される。このため、ケースユニット７８内の漏洩燃料ガスを、換気連通口１２２を介して効率的に補機ケース２６内に流入させて、排気ダクト１２８から車外へと導くことが可能になる。
【００９３】
本発明は上述した実施形態に限定されるものではなく、本発明の要旨を逸脱しない範囲において、種々の改変が可能である。
【００９４】
例えば、上記の実施形態では、スタックケース２２の左端に補機ケース２６を配設したが、スタックケース２２の右端に補機ケース２６を配設してもよい。
【符号の説明】
【００９５】
１０…燃料電池システム                      １２…燃料電池車両
１８…発電セル                              ２０積層体
２０ａ…外周縁部                            ２２…スタックケース
２２ａ…内壁面                              ２４…燃料電池用補機
２６…補機ケース                            ４４…端部連通孔
４４ａ…他部位                              ４４ｂ…隣接外周部
１１８…隔壁                                １２０…対向部
１２２…換気連通口                          １２８…排気ダクト
【図１】
2020170679.tif 000003
【図２】
2020170679.tif 000004
【図３】
2020170679.tif 000005
【図４】
2020170679.tif 000006
【図５】
2020170679.tif 000007
【図６】
2020170679.tif 000008
【図７】
2020170679.tif 000009
【図８】
2020170679.tif 000010